(57)【要約】【課題】分割底開き型の取扱の容易さを保持しながら、安全かつ操作性の良好な分割型底開きコンテナとする。【解決手段】左右ほぼ対称型の左半コンテナ１と右半コンテナ２とからなる分割型底開きコンテナにおいて、左右それぞれの半コンテナ１，２は、吊りバンド３の吊り部４，５と底布６への縫着部７との中間の連帯バンド８を内側へ延長して連帯面ファスナ９，１０を取付け、底布６から吊りバンド３方向へ部分胴布１１を延長してその延長端内側へ胴止め面ファスナ１２，１３を取付ける。これら、連帯面ファスナ９，１０と胴止め面ファスナ１２，１３とで左右それぞれの半コンテナ１，２を強固に連結する。そして、左右相対する底布６部分には、左右半コンテナ１，２を相互に連結するための面ファスナがないので、梱包荷物の側面から左右コンテナ１，２を容易に分離することができる。【選択図】        図１
2004168327.tif 000002
【特許請求の範囲】
【請求項１】
左右ほぼ対称型の左半コンテナと右半コンテナとからなる分割型底開きコンテナにおいて、左右それぞれの半コンテナは、吊りバンドの吊り部と底布への縫着部との中間の連帯バンドを内側へ延長して連帯面ファスナを取付け、底布から吊りバンド方向へ部分胴布を延長してその延長端内側へ胴止め面ファスナを取付けてなることを特徴とする分割型底開きコンテナ。
【請求項２】
底布にはその外方へ先細り状態のループ状に荷下ろしバンドを縫着し、該荷下ろしバンドに添って胴布とそれに続く上締め三角布を延長して設け、内方へは折り返して滑り布を設けてなる請求項１記載の分割型底開きコンテナ。
【請求項３】
胴布外面には底布寄りと上締め三角布寄りにそれぞれコンテナの仕舞い面ファスナを設けてなる請求項１記載の分割型底開きコンテナ。
【請求項４】
上締め三角布の先端には、上締めファスナを設けてなる請求項１記載の分割型底開きコンテナ。
【請求項５】
吊りバンドの吊り部と荷下ろしバンドの吊り部のそれぞれに締結バンドを設けてなる請求項１記載の分割型底開きコンテナ。
【発明の詳細な説明】
【０００１】
【発明の属する技術分野】
本発明は、肥料袋、穀類袋、セメント袋等の荷役に用いる布製の底開きコンテナ、特に分割型底開きコンテナに関する。
【０００２】
【従来の技術】
底開きコンテナは、本発明者らのグループが開発し、特許文献１で初めて公表した。これは、多数の肥料袋等を積載梱包してフォークリフト、クレーン等でトラックや船等に積載運搬した後、目的地で荷ほどき、移し替え、積み替え等の荷役が簡単にワンタッチでできるので、現在では多くの荷役現場で広く用いられるようになってきている。
【０００３】
特許文献１で提案のものは、底布と４方の側布からなる十字状布の中央を２分する形態にして、左右２分した側布の両端縁をそれぞれベルトなどで一体型にしたものであった。この中央を切り離して分割型にしたものについても、多くの提案がなされ、たとえば、特許文献２に始まって、以来多くの出願がなされている。本発明者らも分割型の改良に取り組み、特許文献３などで、提案しているところである。
【０００４】
【特許文献１】
実開昭５８−１５１５９６号公報（第１頁、第１図）
【特許文献２】
実開昭６０−１２６３５９号公報（第１頁、第１図）
【特許文献３】
特開平４−５７７８２号公報（第１頁、図１）
【０００５】
【発明が解決しようとする課題】
底開きコンテナは、通常フォークリフトで移送するパレットの大きさに設定されるので、重量物かつ嵩張って、広げるとかなり取扱に不便を来す。そこで、分割型が重宝がられるが、荷役作業中に不用意に底布が開いて事故に繋がる危険性がある。また、あまり、左右の底布を強固に連結すると、開きにくくなるし、底布の滑りが悪いと、更に作業性を悪化させることになる。
【０００６】
先の特許文献３は、これらの点に改良を加えて荷崩れ防止のために、これも左右分割型の胴締め布からなる内装部を追加使用して、分割型底開きコンテナを外装部として二重に使用し、かつ、荷崩れなく底開きを容易にするために、底布に滑り布を設けている。しかし、胴締め布の使用により安全性は確保できるのであるが、コンテナの点数を増加し、梱包作業や回収作業が煩雑になるし、コスト高を招くものであった。
【０００７】
本発明は、この特許文献３の複雑さを解消し、胴締め布がなくても十分な胴締め効果を発揮し、底開き型の特徴を保持しながら、安全かつ操作性の良好なものを開発すべく種々検討を加えたのである。
【０００８】
【課題を解決するための手段】
本発明の分割型底開きコンテナの特徴は、左右ほぼ対称型の左半コンテナと右半コンテナとからなる分割型底開きコンテナにおいて、左右それぞれの半コンテナは、吊りバンドの吊り部と底布への縫着部との中間の連帯バンドを内側へ延長して連帯面ファスナを取付け、底布から吊りバンド方向へ部分胴布を延長してその延長端内側へ胴止め面ファスナを取付けたことにある。これら、連帯面ファスナと胴止め面ファスナとで左右それぞれの半コンテナを強固に連結する。そして、左右相対する底布部分には、相互に連結するための面ファスナがないので、梱包荷物の側面から左右コンテナを容易に分離することができる。
【０００９】
ここで、底布には、その外方へ先細りのループ状態に荷下ろしバンドを縫着し、この荷下ろしバンドに添って胴布とそれに続く上締め三角布を延長して設け、内方へは折り返して滑り布を設けている。荷下ろしバンドが底布から外方へ先細りループ状であるので、底開きのときに底布がよじれることなく均等に開く。また、底布内方のこれから連続する滑り布を折り返して底布と二重にし、その上に荷物を載せるので、梱包荷物の底面から底布を左右へ引き抜く際に、底開きが抵抗なく行われて荷崩れなく、スムーズに底布と滑り布が荷物の底面から抜けていくのである。
【００１０】
また、胴布外面には底布寄りと上締め三角布寄りにそれぞれコンテナの仕舞い面ファスナを設けてある。このことにより、コンテナを折り畳んだ状態で外面にこの仕舞い面ファスナが存在することになって、ばらけることなくしまえるのである。更に、上締め三角布の先端には、上締めファスナを設けてある。この上締めファスナで、荷物の梱包が簡単に行える。
【００１１】
最後に、吊りバンドの吊り部と荷下ろしバンドの吊り部のそれぞれに締結バンドを設けて全体を強固に連結して梱包が完成して安全確実なコンテナ荷物となるのである。
【００１２】
以上のような構造にすると、胴締め布がなくても十分な胴締め効果を発揮し、底開き型の特徴を保持しながら、安全かつ操作性の良好な分割型底開きコンテナが得られる。
【００１３】
【発明の実施の形態】
以下、図面に基づいて本発明の実施形態について具体的に説明する。図１は分割型底開きコンテナの展開平面図である。図２は滑り布を広げた状態を示す底布部の展開平面図である。また、図３は梱包時の三角布連結状態を示す平面図であり、図４は梱包時の荷下ろしバンド連結状態を示す平面図である。
【００１４】
これらの図から明らかなように、本発明の分割型底開きコンテナの特徴は、左右ほぼ対称型の左半コンテナ１と右半コンテナ２とからなる分割型底開きコンテナであって、左右それぞれの半コンテナ１，２は、ほぼ平行な２本の吊りバンド３が図中上方でループ状になった吊り部４、あるいは同様に下方でループ状になった吊り部５と底布６への縫着部７との中間位置で、２本の吊りバンド３間を連結する連帯バンド８を設けている。本発明では、各半コンテナに設けたこの連帯バンド８をそれぞれ内側へ延長して連帯面ファスナ９，１０を取付け、梱包時にこれら連帯面ファスナ９，１０によって分割されている左右半コンテナ同士を胴部中間で、緊縛接合して一体にする。したがって、連帯面ファスナ９，１０は硬質のポリプロピレン製のキノコ状突起とループの多数ある強固な結合力を有する面ファスナが好ましい。
【００１５】
更に、底布６から吊りバンド３方向へ短い丈の部分胴布１１を延長してその延長端内側へ胴止め面ファスナ１２，１３を取付けている。短い丈の部分胴布１１は底布６の位置決め安定化と、これによって胴止め面ファスナ１２，１３の梱包後の位置が底布にあるのと違って底面から上方の胴部下方にあるので、これら面ファスナ同士の着脱が容易に行える利点がある。ここで、胴止め面ファスナ１２，１３は軟質のナイロン製のフックとループの多数ある比較的手の力で、面と垂直方向へ容易に剥離できる材質と形状の面ファスナを選択使用している。その程度の結合力で十分な梱包安定性が保てるのである。
【００１６】
ここで、底布６には外方へ先細り状態に荷下ろしバンド１４を縫着し、底布６から胴布１５とそれに続く上締め三角布１６を延長して設け、かつ、内方へは底布６から折り返して底布６上へ重ねる滑り布１７を設けている。図２は左半コンテナ１の滑り布１７を広げた状態を示す底布６の展開図である。
【００１７】
また、胴布１５外面すなわち図１，２の裏面には底布６寄りと上締め三角布１６寄りに間隔をあけて雄雌１対のコンテナの仕舞い面ファスナ１８，１８を図の上下に２組設けている。このことにより、コンテナを折り畳んだ状態で外面にこの仕舞い面ファスナ１８が存在することになって、ばらけることなくしまえる。例えば、ロール状に折り畳み、前記仕舞い面ファスナ１８，１８で絞ったコンテナを単位として各段６個３組ずつ向きを互い違いにして９段積層し、更に最上段に４個２組を載せ、これらを左右１組の別のコンテナで梱包すれば、この梱包したコンテナを含めて計６０個３０組のコンテナを一体に回収できる。胴布１５から続く方形の布の角を互いに中央で重ねるように折り返して三角形状として荷物の上面に宛う上締め三角布１６とする。
【００１８】
この上締め三角布１６の先端には、上締めファスナ１９を布側に、上締めバンドファスナ２０を上締め三角布１６から突出して外方に設けてある。左右の半コンテナ１，２の胴布１５と上締め三角布１６とで荷物の側面から上面にかけて被せた際に、これら上締めファスナ１９と上締めバンドファスナ２０とで、荷物の上面を図３のように互いに連結することで側面から上面にかけての梱包が簡単に行える。
【００１９】
図４は、更にその上へ両側の荷下ろしバンド１４，１４を合わせ、荷下ろしバンド１４，１４の先端に設けた締め紐２１，２１で互いに連結した状態を示す。締め紐２１，２１は図１に示すように表裏にそれぞれ雄雌の面ファスナを備えているので、荷下ろしバンド相互の締結は容易である。また、荷下ろしバンド１４，１４が底布から外方へ先細りループ状であるので、荷造り時の締まりもよく、底開きのときにも底布６がよじれることなく均等に開く。底布６内方から連続する滑り布１７を折り返して底布６と二重にし、その上に荷物を載せているので、梱包荷物の底面から底布６を左右へ引き抜く際に、先細りループ状の荷下ろしハンドによる底布６と滑り布１７の底開きが抵抗なく行われて荷崩れなく、スムーズにこれらが荷物の底面から抜けていくのである。
【００２０】
図３と図４の上面仕舞いが重なり合って終了した後、最後に、図１の上下方向にある吊りバンド３の吊り部４，５を持ち上げて荷物の側面に添わせ、左右それぞれの半コンテナ１，２の連帯バンド８に設けた連帯面ファスナ９，１０によって分割されている左右半コンテナ同士を胴部中間で、緊縛接合して一体にする。この連帯面ファスナ９，１０が硬質のポリプロピレン製のキノコ状突起とループの多数ある強固な結合力を有するので、両者は容易には外れない。更に、その下方の胴止め面ファスナ１２，１３で部分胴布相互を締結して荷物の胴部全体を強固に連結する。吊りバンド３相互は分散しないように、左半コンテナ１は吊り部４に、右半コンテナ２は吊り部５にそれぞれ設けた吊りバンド締め紐２２，２２で図１上下の吊り部４，５を相互に縛っておく。吊りバンド締め紐２２，２２も１本の扁平な紐の表裏にある雄雌の面ファスナで結合する。
【００２１】
【発明の効果】
以上のような構造にすると、コンテナとは別個の胴締め布がなくても十分な胴締め効果を発揮し、分割底開き型の取扱の容易さを保持しながら、安全かつ操作性の良好な分割型底開きコンテナが得られるのである。
【図面の簡単な説明】
【図１】分割型底開きコンテナの展開平面図である。
【図２】滑り布を広げた状態を示す底布部の展開平面図である。
【図３】梱包時の三角布連結状態を示す平面図である。
【図４】梱包時の荷下ろしバンド連結状態を示す平面図である。
【符号の説明】
１  左半コンテナ
２  右半コンテナ
３  吊りバンド
４  吊り部
５  吊り部
６  底布
７  縫着部
８  連帯バンド
９  連帯面ファスナ
１０  連帯面ファスナ
１１  部分胴布
１２  胴止め面ファスナ
１３  胴止め面ファスナ
１４  荷下ろしバンド
１５  胴布
１６  上締め三角布
１７  滑り布
１８  仕舞い面ファスナ
１９  上締めファスナ
２０  上締めバンドファスナ
２１  締め紐
２２  吊りバンド締め紐
【図１】
2004168327.tif 000003
【図２】
2004168327.tif 000004
【図３】
2004168327.tif 000005
【図４】
2004168327.tif 000006